(57)【要約】【課題】墨出し等の準備作業を行うことなく、簡単かつ確実に雨樋に傾斜を付けることができ、雨樋の高さ調整を簡単に行える雨樋受具を提供する。【解決手段】雨樋受具１０は、固定部材１２と受枠部材１３とを備えている。固定部材１２は、軒先の屋根材Ｒに固定される固定片１５と、この固定片１５の下方に連なる垂下片１６とからなり、受枠部材１３は、雨樋Ｓを受ける受枠本体１７と、雨樋Ｓの耳部を止める保持片１８Ａ，１８Ｂと、受枠本体１７の側方で垂下片１６に重なり合う係合片１９とを有している。垂下片１６には、その高さ方向に間隔を保って複数の並設穴Ｈが設けられ、係合片１９には、これらの並設穴Ｈのいずれかに着脱自在に係止される係止爪２０が設けられる。【選択図】図２
2006183346.tif 000002
【特許請求の範囲】
【請求項１】
固定部材と受枠部材とを組み合わせて用いる雨樋受具であって、
前記固定部材は、
軒先の屋根材に固定される固定片と、
この固定片の下方に連なる垂下片とからなり、
前記受枠部材は、
雨樋を受ける受枠本体と、
この受枠本体に設けられ、雨樋の耳部を止める保持片と、
この受枠本体の側方に設けられ、前記垂下片に重なり合う係合片とを備えており、
前記垂下片には、その高さ方向に間隔を保って複数の並設穴が設けられ、かつ、前記係合片には、これらの並設穴のいずれかに着脱自在に係止される係止爪が設けられることを特徴とする雨樋受具。
【請求項２】
請求項１記載の雨樋受具であって、
前記係止爪は、前記係合片の板面に立ち上がる爪基部と、この爪基部の先端から折り曲がって下方に延びる爪頭部とを有し、
前記並設穴は、前記垂下片に前記係合片を向き合わせて前記爪頭部を挿入可能な広口部と、この広口部の側方に連なって延び、前記垂下片の水平方向に前記爪基部を嵌合可能なスリット部とを有する、雨樋受具。
【請求項３】
請求項１記載の雨樋受具であって、前記固定片は、前記屋根材の傾斜に沿って延びており、軒先瓦の下方で前記屋根材に固定される、雨樋受具。
【請求項４】
請求項３記載の雨樋受具を用いる雨樋の取付工法であって、
Ａ．軒先の屋根材の傾斜面に、軒先瓦とともに前記固定部材の固定片を固定する工程、
Ｂ．工程Ａによる前記固定部材を、軒の長手方向に所定間隔を保って配置し、前記固定部材の垂下片を均一な高さに保つ工程、
Ｃ．前記垂下片の並設穴に前記係合片の係止爪を係止することで、前記固定部材に受枠部材を取り付ける工程、
Ｄ．工程Ｃによる前記受枠部材を、軒の長手方向に階段状に配置する工程、
Ｅ．工程Ｄによる各受枠部材に雨樋を取り付ける工程
を含むことを特徴とする雨樋の取付工法。
【発明の詳細な説明】
【技術分野】
【０００１】
本発明は、住宅等の軒先に雨樋を取り付けるための雨樋受具に関するものである。
【背景技術】
【０００２】
一般に、住宅等の軒先には雨樋が取り付けられている。雨樋は、軒先の屋根材に雨樋受具によって固定される。
図９に示すように、従来の雨樋受具１は、例えば、軒先の屋根材Ｒに固定される固定片２と、この固定片２に連なる受枠３とを備えている。受枠３の上部両端には雨樋Ｓの耳部を止める保持片４Ａ，４Ｂが設けられる。
雨樋Ｓの取付けは、まず、軒の長手方向に雨樋受具１を間隔を保って固定する。隣り合う雨樋受具１には階段状の段差を付ける。所定位置に雨樋受具１を配置した後、これらの受枠３に傾斜を付けて雨樋Ｓを取り付ける。
なお、雨樋受具に関連する先行技術としては、下記特許文献１、２等が開示されている。
【０００３】
【特許文献１】特開２００３−１３８７０８号公報
【特許文献２】特開２００１−２９５４３３号公報
【発明の開示】
【発明が解決しようとする課題】
【０００４】
しかしながら、このような従来の雨樋受具では、屋根材Ｒに雨樋受具１を固定する前に、雨樋Ｓの傾斜を出すための墨出し等の準備作業が必要で、このような準備作業に手間がかかりやすい。
また、雨樋の高さを調整する場合、屋根材Ｒの軒先面ｒに一旦固定した雨樋受具１を外して再度軒先面ｒに付け直さなければならず、その作業が極めて面倒である。
【０００５】
本発明は、このような現状に鑑みなされたもので、墨出し等の準備作業を行うことなく、簡単かつ確実に雨樋に傾斜を付けることがを可能で、かつ、雨樋の高さ調整を簡単に行えるようにした雨樋受具を提供することを目的としている。
【課題を解決するための手段】
【０００６】
［第１発明］
前記課題を解決するための本発明の雨樋受具は、以下の構成を備えることとした。
すなわち、固定部材と受枠部材とを組み合わせて用いる雨樋受具であって、
前記固定部材は、
軒先の屋根材に固定される固定片と、
この固定片の下方に連なる垂下片とからなり、
前記受枠部材は、
雨樋を受ける受枠本体と、
この受枠本体に設けられ、雨樋の耳部を止める保持片と、
この受枠本体の側方に設けられ、前記垂下片に重なり合う係合片とを備えており、
前記垂下片には、その高さ方向に間隔を保って複数の並設穴が設けられ、かつ、前記係合片には、これらの並設穴のいずれかに着脱自在に係止される係止爪が設けられる構成とした。
【０００７】
本発明の雨樋受具は、高さ方向の並設穴のいずれかに係止爪を係止することにより、受枠部材を高さ位置を自在に変更することができる。雨樋を取り付ける場合、例えばまず、軒の長手方向に間隔を保って屋根材に固定部材を固定する。各固定部材は、屋根材の上端あるいは下端などの一定に高さに合わせておく。次いで、これらの固定部材に受枠部材を、それぞれ階段状に異なる高さで取り付け、各受枠部材で雨樋を支持する。
【０００８】
このように本発明の雨樋受具によれば、異なる高さの並設穴に係止爪を係止することで、軒の長手方向に階段状の段差を付けて受枠部材を取り付けることができる。この結果、墨出し等の準備作業をしなくとも、簡単に雨樋に傾斜を付けることができる。
また、係止爪を止める並設穴を変更することで、受枠部材の高さ位置を簡単に変更することができるため、雨樋の高さ調整が簡単になる。例えば雨樋にグラ付きが生じている場合などに、受枠部材の取付位置を調整することで、このような不具合を簡単に解消することができる。
さらに、本発明の雨樋受具は、ネジ等の止め具や工具を使用することなく、固定部材に受枠部材を取り付けることができるため、雨樋取付けの作業効率を大幅に向上させることができる。
【０００９】
［第２発明］
第２発明による雨樋受具は、第１発明の構成において、
前記係止爪は、前記係合片の板面に立ち上がる爪基部と、この爪基部の先端から折り曲がって下方に延びる爪頭部とを有し、
前記並設穴は、前記垂下片に前記係合片を向き合わせて前記爪頭部を挿入可能な広口部と、この広口部の側方に連なって延び、前記垂下片の水平方向に前記爪基部を嵌合可能なスリット部とを有する構成とした。
【００１０】
このような構成によれば、垂下片と係合片とを向き合わせた状態で、並設穴の広口部に爪頭部から直線方向に係止爪を挿入することができ、並設穴への係止爪の挿入操作が容易になる。
また、並設穴の広口部に係止爪を通した後、この係止爪をスリット部側にズラすと、係止爪の爪基部がスリット部に嵌まり、このスリット部の穴縁に爪頭部が係止される。これにより、並設穴から係止爪が抜けるのを防止することができる。
【００１１】
なお、並設穴のスリット部には、その穴縁に沿って係止爪の爪基部を囲む凹溝を設けてもよい。このような凹溝を設けることにより、係止爪がスリット部側にあるときに、爪基部が凹部に嵌って広口部側へ戻りにくくなる。すなわち、並設穴への係止爪の係止状態がより安定し、雨樋の取り付けの信頼性を高めることが可能になる。
【００１２】
［第３発明］
第３発明による雨樋受具は、第１発明の構成において、前記固定片は、前記屋根材の傾斜に沿って延びており、軒先瓦の下方で前記屋根材に固定される構成とした。
【００１３】
第１発明の構成において、固定部材の固定片が図９に示すような軒先面ｒに沿って傾斜する板片であると、軒先面ｒに固定片をネジや釘で固定する作業が必要になる。軒先面ｒでは作業スペースが狭いこともあり、このような固定作業が手間になりやすい。
【００１４】
第３発明の構成によれば、軒の屋根材Ｒの傾斜面に軒先瓦とともに固定片を固定することができるため、軒先面ｒに釘やネジで固定片を固定する作業を省略することができる。このため、雨樋の取付けの作業負担が大幅に軽減される。
【００１５】
［第４発明］
本発明による雨樋の取付工法は、第３発明による雨樋受具を用いる雨樋の取付工法であって、
Ａ．軒先の屋根材の傾斜面に、軒先瓦とともに前記固定部材の固定片を固定する工程、
Ｂ．工程Ａによる前記固定部材を、軒の長手方向に所定間隔を保って配置し、前記固定部材の垂下片を均一な高さに保つ工程、
Ｃ．前記垂下片の並設穴に前記係合片の係止爪を係止することで、前記固定部材に受枠部材を取り付ける工程、
Ｄ．工程Ｃによる前記受枠部材を、軒の長手方向に階段状に配置する工程、
Ｅ．工程Ｄによる各受枠部材に雨樋を取り付ける工程
を含むことを特徴としている。
【００１６】
このような雨樋の取付工法によれば、並設穴に係止爪を係止することにより受枠部材を階段状に保つため、墨出し等の準備作業を行うことなく、雨樋の取付けを行うことができる。
また、屋根葺きの工程で軒先瓦とともに固定部材を屋根材に固定するため、屋根材の軒先面に固定部材を固定する作業を省略することができ、雨樋の取り付けの作業負担が極めて少なくなる。
さらに、ネジや釘などの止め具を使用することなく固定部材に受枠部材を取り付けることができるため、雨樋の取付時間の短縮を図りやすくなる。
【００１７】
本発明（第１〜４発明）は、単独で適用してもよいし、これらの発明を必要に応じて組み合わせて適用してもよい。また、本発明（第１〜４発明）に本明細書に記載される他の発明を組み合わせることもできる。
【発明を実施するための最良の形態】
【００１８】
以下、本発明の実施形態を図面に基づいて説明する。
図１は、本実施形態の雨樋受具により雨樋が軒に取り付けられた様子を示している。図１においてＲ１は、軒先の屋根材を示し、Ｒ２は軒先瓦を示し、Ｓは雨樋を示す。
【００１９】
図１および図２に示すように、雨樋受具１０は、固定部材１２と受枠部材１３とを備えている。屋根材Ｒ１に受枠部材１３が固定され、この受枠部材１３で雨樋Ｓを支持するようになっている。なお、図１では説明の便宜上、雨樋Ｓ，Ｓの間隔を短く描いているが、実際には、３００〜６００ｍｍ程度の間隔が保たれる。
【００２０】
図３に示すように、固定部材１２は、くの字形の金属片からなるもので、固定片１５と垂下片１６とからなる。固定片１５は、屋根材Ｒ１の傾斜に沿って延びており、その下端から下方へ垂下片１６が折り曲がって連なっている。固定片１５の板面には、取付孔Ｇが貫通している。一方、垂下片１６の高さ方向（長さ方向）には並設穴Ｈが一定の間隔を保って複数貫通している。
【００２１】
図４に示すように、受枠部材１３は、雨樋Ｓを受けるための受枠本体１７を備えている。受枠本体１７の上部両端には、雨樋Ｓの耳部を保持するための保持片１８Ａ，１８Ｂが形成される。
受枠本体１７の側方には係合片１９が設けられる。係合片１９は、Ｌ字形の金属片からなるもので、係合片１９の横板部は、受枠本体１７の下面に溶接等で固定され、また、係合片１９の縦板部は、受枠本体１７の側面に溶接等で固定される。このようにＬ字形の係合片１９を用いることで、固定部材１２に受枠本体１７を安定させることができる。また、既存の雨樋用の受枠を受枠本体１７として使用することが可能になる。
【００２２】
そして、この係合片１９の縦板部の外側には係止爪２０が形成される。係止爪２０は、縦板部の板面から立ち上げられる爪基部２０ａと、その爪基部２０ａからほぼ垂直下方に折れ曲がる爪頭部２０ｂとからなる。爪基部２０ａと爪頭部２０ｂが一定の爪幅および厚みをもって連なっている。
係合片１９の形状は、係合片１９の正面側、すなわち図４で左方向から縦板部の板面を見たとき、爪頭部２０ｂが矩形に見える。この矩形部分は、後述する並設穴Ｈの広口部Ｈ１（図５参照）に挿入されることになる。
【００２３】
図５に示すように、並設穴Ｈは、広口部Ｈ１とスリット部Ｈ２が連なって形成されている。広口部Ｈ１は、爪頭部２０ｂよりも若干大きい程度の矩形の形状になっており、スリット部Ｈ２は、爪基部２０ａの厚みより若干広い程度のスリット幅（図５で上下幅）を有している。広口部Ｈ１とスリット部Ｈ２の横幅（図５で左右長さ）は、それぞれ係止爪２０の爪幅にほぼ等しい長さになっている。
【００２４】
垂下片１６と係合片１９とを向き合わせて並設穴Ｈの広口部Ｈ１に爪頭部２０ｂを真っ直ぐに挿入すると、係止爪２０がその爪基部２０ａまで並設穴Ｈに入る。この状態で係止爪２０を下げると、広口部Ｈ１の下側の穴縁に爪基部２０ａが係止される。次いで図５矢印に示すように、スリット部Ｈ２側へ係止爪２０をズラすと、スリット部Ｈ２に爪基部２０ａが嵌り、並設穴Ｈからの係止爪２０の抜けが防止される。
このように広口部Ｈ１への係止爪２０の挿入と、スリット部Ｈ２への係止爪２０の横移動との２つのステップにより並設穴Ｈに係止爪２０を簡単かつ確実に係止することができる。
【００２５】
次に、雨樋受具１０を用いる雨樋の取付工法について説明する。
図２に示すように、まず、軒先の屋根材Ｒ１に固定片１５を位置合わせして固定部材１２を固定する。図２の例では、屋根材Ｒ１は、垂木２１，胴縁２２、野地板２３の上に緩衝材２４を敷き、その上に広小舞２５を固定して形成されている。この広小舞２５の上に固定片１５を重ね、その先端部分に桟木２６と面戸２７を咬ませて金属製の軒先瓦Ｒ２を載せる。次いで、この軒先瓦Ｒ２の固定ネジ２８を、固定片１５の取付孔Ｇに屋根材Ｒ１側に打ち込む。
このような固定作業は、屋根葺きの施工時に軒の長手方向の所定位置で行う。そうすることで屋根材Ｒ１の均一な高さ位置に各固定部材１２の垂下片１６（並設穴Ｈ）が揃うことになる。
【００２６】
屋根葺きの施工を完了した後、固定部材１２に受枠部材１３を取り付ける。受枠部材１３の取り付けは、前述したように、固定部材１２の並設穴Ｈに受枠部材１３の係止爪２０を係止することにより行う。例えば軒の端に位置する固定部材１２では最も高い位置の並設穴Ｈに係止爪２０を係止して固定部材１２に受枠部材１３を取り付ける。固定部材１２が軒の反対側（反対の端側）にズレるにつれ、並設穴Ｈを下方に１つずつズラして係止爪２０を係止する（図６参照）。これにより、各固定部材１２に受枠部材１３が階段状に取り付けられることになる。そして、これらの受枠部材１３に雨樋Ｓを載せ、その耳部を保持片１８Ａ，１８Ｂで止める。
【００２７】
このように本実施形態の雨樋受具１０によれば、固定部材１２の並設穴Ｈに受枠部材１３の係止爪に係止することで、軒の長手方向に受枠部材１３を階段状に配置することができる。このため、屋根材Ｒに墨出し等の準備作業を施すことなく、軒の長手方向に傾斜を付けて雨樋Ｓを取り付けることができる。
また、異なる並設穴Ｈに係止爪２０を係止し直すことにより簡単に受枠部材１３の位置を変更することができ、雨樋Ｓの高さ調整を簡単に行うことができる。
さらに、本実施形態では、屋根葺きの施工時に屋根材Ｒ１に固定部材１２を止めるため、屋根材Ｒ１の軒先面に固定部材１２をネジや釘で止める必要がなく、雨樋Ｓの取付作業が簡略化され、施工時間の短縮を図りやすくなる。
【００２８】
さらに、本実施形態によれば、ネジ等の止め具を使用せずに固定部材１２に直接受枠部材を取り付けるため、雨樋Ｓの取り付け時に止め具を落とす等のミスがなくなり、作業性が極めて良好になる。
【００２９】
ここで、止め具を用いる雨樋受具の比較例を図７に示した。比較例による雨樋受具３０は、垂下片３１の高さ方向に長穴Ｊが設けられている。長穴Ｊの長さ方向の所定の位置に、止め具（ネジ３２、ワッシャ３３，３４、摘み３５）により受枠（図示省略）が取り付けられるようになっている。雨樋受具３０によれば、長穴Ｊの長さ方向の任意の位置に止め具により受枠を取り付けることができるが、作業中に止め具を落とす心配があり、雨樋取り付けのような高所作業では止め具を落とすとその回収作業が面倒である。また、風雨等で雨樋に負荷がかかると、止め具が緩んで受枠がズレる心配もある。
これに対し、雨樋受具１０の構成によれば、固定部材１２への受枠部材１３の取り付けに止め具を使用しないため、その作業性が極めて良好になる。また、並設穴Ｈの位置が予め決まっているため、一旦取り付けた雨樋Ｓがズレる心配もない。
【００３０】
以上、本発明の実施形態として雨樋受具３０を説明したが、本発明の実施形態はこれに限られることなく、種々の変更を伴ってもよい。
例えば図８に示す雨樋受具４０は、垂下片１６の並設穴Ｈに凹溝１６ａを設けたものである。凹溝１６ａは、並設穴Ｈのスリット部Ｈ２に穴縁が下方に凹むように設けられるもので、凹溝１６ａの幅は係止爪２０の爪幅より若干広い。このように並設穴Ｈのスリット部Ｈ２に凹溝１６ａを設けることで、係止爪２０をスリット部Ｈ２に移動させたとき、その爪基部２０ａが凹溝に１６ａに嵌り、広口部Ｈ１側に戻るのが防止される。これにより並設穴Ｈに係止爪２０がより安定的に取り付けられることになる。
その他の本発明の実施形態としては、前記固定部材の固定片を必ずしも屋根材Ｒの傾斜面に固定しなくともよく、従来例（図９参照）のように、軒先面にそのままネジ等で取り付けてもよい。また、係止片および並設穴の形状、間隔等については、必要に応じて変更することが可能である。
【図面の簡単な説明】
【００３１】
【図１】本発明の実施形態による雨樋受具の使用状態を示す斜視図である。
【図２】同雨樋受具の使用状態を示す断面図である。
【図３】同雨樋受具の固定部材を示す斜視図である。
【図４】同雨樋受具の受枠部材を示す斜視図である。
【図５】同雨樋受具の並設穴と係止爪の係合作用を説明するための作用説明図である。
【図６】同雨樋受具による雨樋の取付方法を説明するための作用説明図である。
【図７】比較例による雨樋受具の固定部材を示す斜視図である。
【図８】他の実施形態による雨樋受具の固定部材を示す斜視図である。
【図９】従来例による雨樋受具の使用状態を示す断面図である。
【符号の説明】
【００３２】
１０    雨樋受具
１２    固定部材
１３    受枠部材
１５    固定片
１６    垂下片
１７    受枠本体
１８Ａ，１８Ｂ  保持片
１９    係合片
２０    係止爪
２０ａ  爪基部
２０ｂ  爪頭部
Ｈ    並設穴
Ｈ１  広口部
Ｈ２  スリット部
Ｒ１  屋根材
Ｈ２  軒先瓦
【図１】
2006183346.tif 000003
【図２】
2006183346.tif 000004
【図３】
2006183346.tif 000005
【図４】
2006183346.tif 000006
【図５】
2006183346.tif 000007
【図６】
2006183346.tif 000008
【図７】
2006183346.tif 000009
【図８】
2006183346.tif 000010
【図９】
2006183346.tif 000011